(57)【要約】      （修正有）【課題】腐食したガードレール等の鋼管支柱を取り替えることなく、容易に鋼管支柱の腐食部分の補強を行い従前の機能を回復すること。【解決手段】ガードレールの鋼管支柱１内の所定の位置にＵ字型に加工した補強鉄筋７を設置し、ガードレールの鋼管支柱１の鋼管頂部１２よりコンクリートを投入することにより、ガードレールの鋼管支柱１の鋼管の腐蝕部１３の内側に鉄筋コンクリート構造体１４を形成することで、鋼管の腐蝕部１３の補強を完成する。【選択図】図４
2012219610.tif 000002
【特許請求の範囲】
【請求項１】
ガードレール等の鋼管支柱の腐食部分の補強を行う方法であって、Ｕ字型に加工した補強鉄筋を、湾曲部を上にして鋼管頂部から鋼管内に挿入して所定の位置に設置し、鋼管頂部からコンクリートを投入することによって、鋼管内部に鉄筋コンクリート構造体を形成し、腐食部分の補強を完成させることを特徴とする鋼管支柱の補強方法。
【請求項２】
鋼管支柱の上部を貫通するブラケット取り付け用ボルトに、深さの異なる複数の溝を放射状に持つ鞍状の固定具を取り付け、この溝にＵ型に加工した補強鉄筋の彎曲部をはめ込むことにより、複数のＵ字型に加工した補強鉄筋を鋼管内の所定の位置に容易に設置、固定すること特徴とする請求項１に記載の鋼管支柱の補強方法。
【請求項３】
鋼管支柱の腐食部分を補強するために必要な太さと長さの鉄筋を、Ｕ字型に加工したこれより細い鉄筋などの先に接続して、Ｕ字型に加工した補強鉄筋としたものを使用することを特徴とする請求項１に記載の鋼管支柱の補強方法。
【発明の詳細な説明】
【技術分野】
【０００１】  ガードレール等の鋼管支柱の腐食部分の補強を容易に提供することを課題とする。
【背景技術】
【０００２】  道路路側には、車両の逸脱を防止するためガードレール等の防護柵が取り付けられることが多い。このうち橋梁等のコンクリート製路側に取り付けられるガードレール等の鋼管支柱は、コンクリート製路側に設置された支柱穴にアスファルトやモルタルにより固定されるもので、鋼管支柱と路側上面との接合部には雨水等が溜まりやすく、鋼管支柱がその部分でリング状に腐食して断面欠損し、ガードレール等の鋼管支柱としての強度を失うため、多くの費用をかけて鋼管支柱を取り替えることが必要とされてきた。【０００３】  ガードレール等の鋼管支柱によらず、街路灯等の鋼管支柱にも同じような腐食問題が発生しており、特許文献１では、縦長の補強材を地表近くの街路灯の鋼管支柱側部に取り付けられた開口部から挿入して鋼管内の地面に突き刺して固定し、充填剤を開口部から充填する方法が示されている。しかしながら、ガードレール等の鋼管支柱の側部には上記のような開口部がなく、鋼管支柱上部にはブラケット固定用のボルトが貫通しており、鋼管支柱の口径も街路灯等の支柱に比べて細いなど、補強材固定をこの方法で行うには困難がある。【０００４】  また特許文献２では、鋼管支柱より大きい鋼管で鋼管腐食部をカバーして取り付け、空隙に充填剤を充填する方法が示されている。しかしながらこの方法をコンクリート製路側に設置されたガードレール等の鋼管支柱に適用するためには、コンクリート製路側の取り壊しが必要となるなど問題がある。
【先行技術文献】
【特許文献】
【特許文献１】特開２００６−３１６５８５
【特許文献２】特開２００４−３６０２５０
【発明の開示】
【発明が解決しようとする課題】
【０００５】  本発明が解決しようとする課題は、腐食したガードレール等の鋼管支柱を取り替えることなく、容易に腐食部分を補強して従前の機能を回復することにある。
【課題を解決するための手段】
【０００６】  本発明は、Ｕ字型に加工した補強鉄筋を用いて鋼管支柱内の所定の位置に補強鉄筋を設置し、鋼管頂部よりコンクリートを投入することにより、腐食した鋼管内部に鉄筋コンクリート構造体を形成し、容易に鋼管の腐食部分の補強を完成するものである【０００７】  鋼管支柱の腐食部分を補強するために鋼管内に形成する鉄筋コンクリート構造体は、ガードレール等に衝突する自動車等の荷重を支持して鋼管支柱を破断させないよう、必要とされる鉄筋を所定の位置に配置することが必要であるが、個別分離した鉄筋を鋼管頂部から挿入して鋼管内の所定の位置に設置、固定しようとしても、鋼管自体が細く、また鋼管上部にはブラケット取り付け用のボルトが貫通しているなどその作業には困難が伴う。【０００８】  このため、本発明では鋼管内に形成する鉄筋コンクリート構造体の所定の位置に補強鉄筋を設置出来るよう、Ｕ字型に加工した補強鉄筋を、Ｕ字の彎曲部を上にしてブラケット取り付け用のボルトをまたぐように鋼管支柱内に挿入し、彎曲部を水平面で回転させることにより水平面上の所定の位置に補強鉄筋を設置、固定することができるようにした。またＵ字型の開き幅を所定の広さに加工することにより、設置した補強鉄筋が投入したコンクリートの所定の被り厚を確保することができるようにした。【０００９】  複数のＵ字型に加工した補強鉄筋を所定の位置に設置するため、湾曲部で溶接して接合し、一組としたＵ字型に加工した補強鉄筋を用いればよいが、かさばって運搬に困難が伴うことがある。【００１０】  このため、鋼管支柱上部を貫通するブラケット取り付け用ボルトに、深さの異なる複数の溝を放射状に持つ鞍状の固定具を取り付け、この溝に鋼管支柱の補強部分に補強鉄筋が到達するようＵ字型の足の長さを設定した、Ｕ字型に加工した補強鉄筋の彎曲部をはめ込むことにより、Ｕ字型に加工した複数の補強鉄筋を鋼管内の所定の位置に、なおかつ鋼管支柱の底から浮かせて容易に設置、固定することが出来るようにした。
【発明の効果】
【００１１】  本発明により、腐食したガードレール等の鋼管支柱の補強をしてその機能を回復させるため、Ｕ字型に加工した補強鉄筋を用いて鋼管支柱の所定の位置に補強鉄筋を設置、固定し、鋼管頂部よりコンクリートを投入することにより鋼管内に鉄筋コンクリート構造体を形成して、容易に鋼管支柱腐食部の補強を完成することができる。これにより鋼管支柱の取り換え等の煩雑な工事や費用の節減が図れるようになった。
【図面の簡単な説明】
【００１２】
【図１】コンクリート製路側に設置されたガードレールである。
【図２】Ｕ字型に加工した補強鉄筋である。
【図３】補強鉄筋より細いＵ字型の鉄筋の先に補強鉄筋を取り付けて、Ｕ字型に加工した補強鉄筋としたものである。
【図４】鋼管支柱内に鉄筋コンクリート構造体を形成したものである。
【図５】一体化した二つのＵ字型に加工した補強鉄筋である。
【図６】鞍状の固定具である。
【発明を実施するための形態】
【００１３】  以下、図面を参照して本発明の実施の形態を説明する。
【００１４】  図１にコンクリート製の路側に設置されたガードレールを示す。１は鋼管支柱、２はコンクリート製路側、３は鋼管支柱固定用のアスファルト又はモルタル、４はブラケット、５はブラケット取り付け用ボルト、６はガードレールビームである。
【００１５】  図２にＵ字型に加工した補強鉄筋を示す。７はＵ字型に加工した補強鉄筋、８は彎曲部である。
図３は必要とされる補強鉄筋より細いＵ字型の鉄筋の先に補強鉄筋を取り付け、Ｕ字型に加工した補強鉄筋としたもので、９は補強鉄筋より細いＵ字型の鉄筋、１０は必要とされる太さと長さの補強鉄筋である。
【００１６】  図４に、Ｕ字型に加工した補強鉄筋を鋼管頂部より挿入し、コンクリートを投入して鋼管内に鉄筋コンクリート構造体を形成したものを示す。１１は鋼管支柱蓋、１２は鋼管頂部、１３は鋼管の腐食部、１４は鉄筋コンクリート構造体である。
【００１７】  施工に際して、先ず鋼管支柱蓋１１を取り外し、鋼管頂部１２からＵ字型の彎曲部８を上にして、ブラケット取り付け用ボルト５を跨ぐようにＵ字型に加工した補強鉄筋７を鋼管内に挿入する。ここでＵ字型の彎曲部８を鋼管頂部１２から手を入れて回転させ、補強鉄筋を所定の位置に設置したのち、鋼管頂部１２からコンクリートを投入する。これにより鋼管腐食部１３の上下の鋼管内に鉄筋コンクリート構造体１４を形成し鋼管支柱の補強を完成させる。
【００１８】  図５は二つのＵ字型に加工した補強鉄筋を彎曲部で溶接して一組としたものを、ブラケット取り付け用ボルトを跨ぐように設置した模式図である。１５が溶接個所であり、このように二つのものを一体化して設置することにより、鋼管内で補強鉄筋同士の位置関係がずれることを防ぐことが出来る。
【００１９】  図６にブラケット取り付け用ボルトに取り付ける鞍状の固定具を示す。１６は鞍状の固定具、１７はブラケット取り付け用ボルト５に取り付ける溝、１８はＵ字型の補強鉄筋の彎曲部が跨る溝、１９は１８の溝より彎曲部の鉄筋径以上深い溝、２０はそれぞれの溝の垂直部分である。これらの構造により、設置された二つの補強鉄筋は彎曲部の交差部で当たることがなく、また溝の垂直部分によりＵ字型に加工した補強鉄筋は固定され、彎曲部を支点にぶれることがない。
【００２０】  このような鞍状の固定具を使用して、Ｕ字型に加工した補強鉄筋を鋼管支柱内に設置することにより、複数のＵ字型に加工した補強鉄筋を一体化しないで使用しても、鋼管内での所定の位置に補強鉄筋を設置、固定することが出来る。
【符号の説明】
【００２１】１    ガードレールの鋼管支柱
２    コンクリート製の路側
３    鋼管支柱固定用のアスファルト又はモルタル
４    ブラケット
５    ブラケット取り付け用ボルト
６    ガードレールビーム
７    Ｕ字型に加工した補強鉄筋
８    Ｕ字型に加工した補強鉄筋の彎曲部
９    補強鉄筋より細いＵ字型の鉄筋
１０  補強鉄筋
１１  鋼管支柱蓋
１２  鋼管頂部
１３  鋼管の腐食部
１４  鉄筋コンクリート構造体
１５  溶接個所
１６  鞍状の固定具
１７  ブラケット取り付け用ボルトに取り付ける溝
１８、１９  Ｕ字型の補強鉄筋の彎曲部が跨る溝
２０  溝の垂直部
【図１】
2012219610.tif 000003
【図２】
2012219610.tif 000004
【図３】
2012219610.tif 000005
【図４】
2012219610.tif 000006
【図５】
2012219610.tif 000007
【図６】
2012219610.tif 000008
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
ガードレールの鋼管支柱の腐食部分の補強を行う方法であって、鋼管支柱の上部を貫通するブラケット取り付け用ボルトに、深さの異なる複数の溝を放射状に持つ鞍状の固定具を取り付け、Ｕ字型に加工した補強鉄筋を、湾曲部を上にして鋼管頂部から鋼管内に挿入し、この溝にＵ型に加工した補強鉄筋の彎曲部をはめ込むことにより、複数のＵ字型に加工した補強鉄筋を鋼管内の所定の位置に設置、固定し、鋼管頂部からコンクリートを投入することによって、鋼管内部に鉄筋コンクリート構造体を形成し、腐食部分の補強を完成させることを特徴とする、ガードレールの鋼管支柱の補強方法。
【請求項２】
鋼管支柱の腐食部分を補強するための鉄筋コンクリート構造体に必要な太さと長さの鉄筋を、Ｕ字型に加工したこれより細い鉄筋の先に接続して、Ｕ字型に加工した補強鉄筋としたものを使用することを特徴とする、請求項１に記載のガードレールの鋼管支柱の補強方法。
【手続補正２】
【補正対象書類名】明細書
【補正対象項目名】全文
【補正方法】変更
【補正の内容】
【発明の詳細な説明】
【技術分野】
【０００１】ガードレールの鋼管支柱の腐食部分の補強を容易に提供することを課題とする。
【背景技術】
【０００２】道路路側には、車両の逸脱を防止するためガードレール等の防護柵が取り付けられることが多い。このうち橋梁等のコンクリート製路側に取り付けられるガードレールの鋼管支柱は、コンクリート製路側に設置された支柱穴にアスファルトやモルタルにより固定されるもので、鋼管支柱と路側上面との接合部には雨水等が溜まりやすく、鋼管支柱がその部分でリング状に腐食して断面欠損し、ガードレールの鋼管支柱としての強度を失うため、多くの費用をかけて鋼管支柱を取り替えることが必要とされてきた。【０００３】ガードレールの鋼管支柱によらず、街路灯の鋼管支柱にも同じような腐食問題が発生しており、特許文献１では、縦長の補強材を地表近くの街路灯の鋼管支柱側部に取り付けられた開口部から挿入して鋼管内の地面に突き刺して固定し、充填剤を開口部から充填する方法が示されている。しかしながら、ガードレールの鋼管支柱の側部には上記のような開口部がなく、鋼管支柱上部にはブラケット取り付け用のボルトが貫通しており、鋼管支柱の口径も街路灯等の支柱に比べて細く、補強財を挿入して固定するなどをこの方法で行うには困難がある。【０００４】また特許文献２では、鋼管支柱より大きい鋼管で鋼管腐食部をカバーして取り付け、空隙に充填剤を充填する方法が示されている。しかしながらこの方法をコンクリート製路側に設置されたガードレールの鋼管支柱に適用するためには、コンクリート製路側の取り壊しが必要となるなど問題がある。
【先行技術文献】
【特許文献】
【特許文献１】特開２００６−３１６５８５
【特許文献２】特開２００４−３６０２５０
【発明の開示】
【発明が解決しようとする課題】
【０００５】本発明が解決しようとする課題は、腐食したガードレールの鋼管支柱を取り替えることなく、容易に腐食部分を補強して従前の機能を回復することにある。
【課題を解決するための手段】
【０００６】本発明は、Ｕ字型に加工した補強鉄筋と鞍状の固定具を用いて鋼管支柱内の所定の位置に補強鉄筋を設置し、鋼管頂部よりコンクリートを投入することにより、腐食した鋼管内部に鋼管と一体となって車両の衝突に抵抗する鉄筋コンクリート構造体を形成し、容易に鋼管の腐食部分の補強を完成するものである。【０００７】鋼管支柱の腐食部分を補強するために鋼管内に形成する鉄筋コンクリート構造体は、ガードレールに衝突する自動車等の荷重を支持して鋼管支柱を破断させないよう、必要とされる鉄筋を所定の位置に配置することが必要であるが、個別分離した鉄筋を鋼管頂部から挿入して鋼管内の所定の位置に設置、固定しようとしても、鋼管自体が細く、また鋼管上部にはブラケット取り付け用のボルトが貫通していて手が入らず、鉄筋固定用冶具も設置できないなどその作業には困難が伴う。【０００８】このため、本発明では鋼管内に形成する鉄筋コンクリート構造体の所定の位置に補強鉄筋を設置出来るよう、鋼管支柱の上部を貫通するブラケット取り付け用ボルトに、深さの異なる複数の溝を放射状に持つ鞍状の固定具を取り付け、固定具をまたいで所定の位置に到達するＵ字型に加工した補強鉄筋を、湾曲部を上にして鋼管頂部から鋼管内に挿入し、この溝にＵ型に加工した補強鉄筋の彎曲部をはめ込むことにより、Ｕ字型に加工した複数の補強鉄筋を鋼管内の所定の位置に、なおかつ鋼管支柱の底から浮かせて設置、固定することが出来るようにした。【０００９】Ｕ字型に加工した補強鉄筋を設置した後に、鋼管頂部からコンクリートを投入することによって、鋼管内部に鉄筋コンクリート構造体を形成し腐食部分の補強を完成させるが、Ｕ字型に加工した補強鉄筋の脚部の開き幅を所定の広さに加工することにより、設置した補強鉄筋が、鉄筋コンクリート構造体のコンクリートの所定の被り厚を確保することができるようにした。
【発明の効果】
【００１０】本発明により、腐食したガードレールの鋼管支柱の補強を行いその機能を回復させるため、Ｕ字型に加工した補強鉄筋と深さの異なる複数の溝を放射状に持つ鞍状の固定具を用いて鋼管支柱の所定の位置に補強鉄筋を設置、固定し、鋼管頂部よりコンクリートを投入することにより鋼管内に鉄筋コンクリート構造体を形成して、容易に鋼管支柱腐食部の補強を完成することができる。これにより鋼管支柱の取り換え等の煩雑な工事の費用の節減が図れるようになった。
【発明を実施するための最良の形態】
【００１１】以下、図面を参照して本発明の実施の形態を説明する。【００１２】図１にコンクリート製の路側に設置されたガードレールを示す。１は鋼管支柱、２はコンクリート製路側、３は鋼管支柱固定用のアスファルト又はモルタル、４はブラケット、５はブラケット取り付け用ボルト、６はガードレールビームである。【００１３】図２にＵ字型に加工した補強鉄筋を示す。７はＵ字型に加工した補強鉄筋、８は彎曲部である。【００１４】図３は、図２で示したものより重量と価格の軽減を図るため、必要とされる補強鉄筋より細いＵ字型の鉄筋の先に補強鉄筋を取り付け、Ｕ字型に加工した補強鉄筋としたもので、９は補強鉄筋より細いＵ字型の鉄筋、１０は必要とされる太さと長さの補強鉄筋である。【００１５】図４に、鞍状の固定具を使用せずＵ字型に加工した補強鉄筋を鋼管頂部より挿入し、コンクリートを投入して鋼管内に鉄筋コンクリート構造体を形成したものを示すが、Ｕ字型の補強鉄筋はブラケット取り付け用ボルトにぶら下がっているだけで固定されていないため、コンクリート投入時に補強鉄筋が所定の位置からずれることがあり、その場合には手で湾曲部を操作して補強鉄筋の位置を修正してやるなどの処置が必要となる。【００１６】図５は、鞍状の固定具を使用せず二つのＵ字型に加工した補強鉄筋を彎曲部で溶接して一組としたものを、ブラケット取り付け用ボルトを跨ぐように設置した模式図である。
１５が溶接個所であり、このように二つのものを一体化して設置することにより、二つの補強鉄筋相互の位置関係がずれることを防ぐことが出来るが、コンクリート投入時には組となった補強鉄筋が動いて鋼管内の所定の位置からずれるなどの問題がある。【００１７】図６にブラケット取り付け用ボルトに取り付ける鞍状の固定具を示す。１６は鞍状の固定具、１７はブラケット取り付け用ボルト５に取り付ける溝、１８はＵ字型の補強鉄筋の彎曲部が跨る溝、１９は１８の溝より彎曲部の鉄筋径以上深い溝、２０はそれぞれの溝の垂直部分である。これらの構造により、設置された二つのＵ字型に加工された補強鉄筋は彎曲部の交差部で当たることがなく、また溝の垂直部分によりＵ字型に加工した補強鉄筋は固定され、彎曲部を支点にぶれることがない。【００１８】このような鞍状の固定具を使用して、Ｕ字型に加工した補強鉄筋を鋼管支柱内に設置することにより、複数のＵ字型に加工した補強鉄筋を、一体化しないで使用しても鋼管内での所定の位置に補強鉄筋を設置、固定することが出来る。【００１９】施工に際して、先ず鋼管支柱蓋１１を取り外し、鞍状の固定具をブラケット取り付け用ボルトに取り付け、鋼管頂部１２からＵ字型の彎曲部８を上にして、鞍状の固定具を跨ぐようにＵ字型に加工した補強鉄筋７を鋼管内に挿入する。鞍状の固定具の溝にＵ型に加工した補強鉄筋の彎曲部をはめ込むことにより、複数のＵ字型に加工した補強鉄筋を鋼管内の所定の位置に設置、固定し、鋼管頂部からコンクリートを投入することによって、鋼管内部に鉄筋コンクリート構造体を形成し、鋼管支柱の補強を完成させる。
【図面の簡単な説明】
【００２０】
【図１】コンクリート製路側に設置されたガードレールである。
【図２】Ｕ字型に加工した補強鉄筋である。
【図３】補強鉄筋より細いＵ字型の鉄筋の先に補強鉄筋を取り付けて、Ｕ字型に加工した補強鉄筋としたものである。
【図４】鋼管支柱内に鉄筋コンクリート構造体を形成したものである。
【図５】一体化した二つのＵ字型に加工した補強鉄筋である。
【図６】鞍状の固定具である。
【符号の説明】
【００２１】１    ガードレールの鋼管支柱
２    コンクリート製の路側
３    鋼管支柱固定用のアスファルト又はモルタル
４    ブラケット
５    ブラケット取り付け用ボルト
６    ガードレールビーム
７    Ｕ字型に加工した補強鉄筋
８    Ｕ字型に加工した補強鉄筋の彎曲部
９    補強鉄筋より細いＵ字型の鉄筋
１０  補強鉄筋
１１  鋼管支柱蓋
１２  鋼管頂部
１３  鋼管の腐食部
１４  鉄筋コンクリート構造体
１５  溶接個所
１６  鞍状の固定具
１７  ブラケット取り付け用ボルトに取り付ける溝
１８、１９  Ｕ字型の補強鉄筋の彎曲部が跨る溝
２０  溝の垂直部